(57)【要約】【課題】子供向きの面から、玩具としても使用できる傘を提供する。【解決手段】上下に端部１１，１２を有する中棒１０を備えている傘において、中棒１０の下端に続いて貯水手段（ハンドル２０）が延伸するように設けられており、該貯水手段内に、水を貯める貯水空間１３を有し、中棒１０を、その軸線に沿って案内手段１４が貫通しており、該案内手段１４は、その断面積が貯水空間１３の断面積より小さく、且つ、貯水空間１３と連通していて貯水空間１３内の水を外部へ案内することができ、また、貯水手段に、外から操作できる作動手段２１が設けられていて、操作されると、水を貯水空間１３から案内手段１４を経由して外部へ射出できる構成とする。【選択図】図１
2005230254.tif 000002
【特許請求の範囲】
【請求項１】
上下に端部を有する中棒を備えている傘において、
前記中棒の下端に続いて貯水手段が延伸するように設けられており、該貯水手段内に、水を貯める貯水空間を有し、
前記中棒を、その軸線に沿って案内手段が貫通しており、該案内手段は、その断面積が前記貯水空間の断面積より小さく、且つ、前記貯水空間と連通していて貯水空間内の水を外部へ案内することができ、
また、前記貯水手段に、外から操作できる作動手段が設けられていて、操作されると、水を前記貯水空間から前記案内手段を経由して外部へ射出することができることを特徴とする水鉄砲兼用の傘。
【請求項２】
前記中棒はその上端が開口している中空管体であり、
前記案内手段は上下両端に開口を有し、その上端開口が前記中棒の上端開口に臨み、下端開口が前記貯水空間内にあるように、前記中棒の中空部を貫通している導管であり、
また、前記貯水手段は、傘のハンドルとされていることを特徴とする請求項１に記載の水鉄砲兼用の傘。
【請求項３】
前記貯水空間は前記軸線に沿って横断面が上下一致している柱状であって前記貯水手段の下端面に下方へ開口しており、
前記作動手段は、上下に端部を有し、且つその少なくとも上端部近傍の横断面が前記貯水空間の横断面と一致している棒状であって、その上端部が前記貯水空間内に水密的に且つ摺動可能に挿入され、下端部が前記貯水手段の下側に露出しており、
それにより、前記中棒の上端を水に挿入して前記作動手段を前記貯水手段から外へ徐々に引っ張ると、水を前記案内手段を経由して前記貯水手段内に吸引することができ、また、前記作動手段を前記貯水手段内へ押圧すると、前記貯水手段内に貯められる水を外部へ射出できることを特徴とする請求項２に記載の水鉄砲兼用の傘。
【請求項４】
前記中棒はその下端が閉鎖されており、前記案内手段の下端は前記中棒の下端を水密的に貫通して前記貯水空間と連通しており、また、前記作動手段の上端部に、前記貯水空間の周壁と水密的に接触しているピストンが設けられていることを特徴とする請求項３に記載の水鉄砲兼用の傘。
【請求項５】
前記貯水手段は前記軸線の周囲に形成されて前記貯水空間を囲んでいる周壁面があり、該周壁面に前記貯水空間と連通していて前記貯水空間内に水を注入するための注入孔が形成されており、
また、前記作動手段は、前記貯水空間内に配設され、その操作部が前記周壁から外に露出するうえ、前記案内手段の下端開口と前記貯水空間とを連通させるように配置されていて、前記操作部が操作されると、水を前記貯水空間から前記案内手段を経由して外部へ射出することができる手押し式ポンプからなっていることを特徴とする請求項２に記載の水鉄砲兼用の傘。
【請求項６】
前記中棒はその下端が閉鎖されており、前記案内手段の下端は前記中棒の下端を水密的に貫通して前記貯水空間と連通しており、また、前記手押し式ポンプの操作部は前記貯水手段の周壁を水密的に且つ押圧によって出没することができるように貫通していることを特徴とする請求項５に記載の水鉄砲兼用の傘。
【発明の詳細な説明】
【技術分野】
【０００１】
本発明は傘に関し、特に水鉄砲として兼用することができる傘に関する。
【背景技術】
【０００２】
市販されている傘は、図５に示すように、上下に端部を有する中棒１と、前記中棒１の下端に続いて延伸するように設けられているハンドル２と、前記中棒１に装着された骨組み３と、前記骨組み３の上面に張られている生布４とを備えている。このような傘は、遮光または雨よけの機能が果たせるが、他の使用機能がない。
【発明の開示】
【発明が解決しようとする課題】
【０００３】
それがゆえに、本発明は子供向きの面から、玩具としても使用されることができる傘を提供することを目的とするものである。
【課題を解決するための手段】
【０００４】
前記目的を具体化させるために、本発明は、上下に端部を有する中棒を備えている傘において、前記中棒の下端に続いて貯水手段が延伸するように設けられており、該貯水手段内に、水を貯める貯水空間を有し、前記中棒を、その軸線に沿って案内手段が貫通しており、該案内手段は、その断面積が前記貯水空間の断面積より小さく、且つ、前記貯水空間と連通していて貯水空間内の水を外部へ案内することができ、また、前記貯水手段に、外から操作できる作動手段が設けられていて、操作されると、水を前記貯水空間から前記案内手段を経由して外部へ射出することができることを特徴とする水鉄砲兼用の傘を提供する。
【発明の効果】
【０００５】
この構成によると、本発明は、前記作動手段を操作することにより、水を前記貯水空間から前記案内手段を経由して外部へ射出することができるので、水鉄砲としても機能することができる。
【発明を実施するための最良の形態】
【０００６】
以下、図面を参照しながら、本発明の水鉄砲兼用の傘の好ましい実施形態を説明する。
【０００７】
先ず、図１乃至図３を参照しながら、本発明の水鉄砲兼用の傘の第１の実施形態を説明する。
【０００８】
図１に示すように、本実施形態における傘は、従来の傘と同様に、反対側に位置する上下両端１１，１２を有する中棒１０と、前記中棒１０の下端１２に続いて延伸するように設けられているハンドル２０と、前記中棒１０に装着されている骨組み３０と、前記骨組み３の上面に張られている生布４０とを備えている。本発明の特徴に係わるのは中棒１０とハンドル２０とにあるうえ、骨組み３０及び生布４０などの他の構成は従来の傘と略同じであるので、下記の詳細説明は中棒１０及びハンドル２０だけに集中し、骨組み３０及び生布４０などの他の構成を省略する。
【０００９】
前記中棒１０は中空管体であり、その上端１１が開口し、下端１２が閉鎖されている。
【００１０】
前記ハンドル２０は、その内部に水を貯める貯水空間１３を有するもので、貯水手段ともされている。該貯水空間１３は前記中棒１０の軸線に沿って横断面が上下一致している円柱状であって貯水手段としての前記ハンドル２０の下端面が下方へ開口している。
【００１１】
前記中棒１０は、中空部をその軸線に沿って案内手段１４が貫通している。本実施形態において、この案内手段１４は、上下両端に開口１６，１５を有するうえ、その断面積が前記貯水空間１３の断面積より遥かに小さく、且つ、前記貯水空間１３と連通していて貯水空間１３内の水を外部へ案内することができる導管である。もっと詳しく説明すると、前記案内手段１４の上端開口１６が前記中棒１０の上端開口に臨み、下端開口１５が前記中棒１０の下端１２を水密的に貫通して前記貯水空間１３と連通している。
【００１２】
また、前記ハンドル２０に、外から操作できる作動手段２１が設けられている。本実施形態において、この作動手段２１は、図２に示すように、上下に端部２１１，２１２を有し、且つその前記上端部２１１の近傍の横断面が、前記貯水空間１３の横断面と一致している断面円形状の棒状である。該作動手段２１の上端部２１１は、前記貯水空間１３内に水密的に且つ摺動可能に挿入され、下端部２１２が前記ハンドル２０の下側に露出している。また、前記作動手段２１の上端部２１１には、前記貯水空間１３の周壁と水密的に接触しているピストン２２が設けられている。
【００１３】
図３に示すように、前記中棒１０の上端１１を水に挿入してから前記作動手段２１を前記ハンドル２０から外へ徐々に引っ張ると、水を前記案内手段１４を経由して前記貯水空間１３内に吸い込むことができる。逆に、前記作動手段２１を前記ハンドル２０内へ押圧すると、前記のように前記貯水空間１３内に吸い込んだ水を前記案内手段１４を経由して外部へ射出することができる。従って、本実施形態における傘は、水鉄砲として使用されることができる。
【００１４】
次に、図４に示すのは本発明の第２の実施形態である。本実施形態において、前記第１の実施形態と異なる点は、前記第１の実施形態における作動手段２１は前記ハンドル２０とあわせて始めて手押し式ポンプになることに対し、この実施形態における作動手段２１ａは、それ自体で手押し式ポンプを構成すること、及び、この実施形態におけるハンドル２０ａは、前記軸線の周囲に形成されて貯水空間１３ａを囲んでいる周壁面２００には更に貯水空間１３ａと連通していて前記貯水空間１３ａ内に水を注入するための注入孔１９が形成されていることにある。
【００１５】
もっと詳しく説明すると、前記作動手段２１ａは、前記貯水空間１３ａ内に配設され、その操作部２１１ａは前記ハンドル２０ａの周壁２００を水密的に且つ押圧によって出没することができるように貫通して前記ハンドル２０ａ外に露出するうえ、前記案内手段１４ａの下端開口と前記貯水空間１３ａとを連通させるように配置されている。
【００１６】
本実施形態の傘を水鉄砲として使用する場合、予め前記注入孔１９から前記貯水空間１３ａ内に水を注入してから前記作動手段２１ａの操作部を押圧するとともに、その押圧を繰り返して、前記案内手段１４ａの下端開口と前記貯水空間１３ａとを連通させ、水を前記貯水空間１３ａから前記案内手段１４ａを経由して射出することができる。
【００１７】
上述したように、本発明の傘は作動手段を操作することにより、水を貯水空間から案内手段を経由して外へ射出することができるので、子供が傘を水鉄砲として楽しむことができる。
【産業上の利用可能性】
【００１８】
上記のように、本発明は、水鉄砲を兼用する傘を提供することができるので、子供が玩具として使用されることができる。
【図面の簡単な説明】
【００１９】
【図１】本発明の第１の実施形態の傘を示す断面図
【図２】第１の実施形態における傘の一部を示す断面図
【図３】第１の実施形態における作動手段の動作を示す説明図
【図４】本発明の第２の実施形態の傘を示す断面図
【図５】従来の傘を示す断面図
【符号の説明】
【００２０】
１０      中棒
１１      上端
１２      下端
１３      貯水空間
１４      案内手段
１４ａ    案内手段
１５      下端開口
１６      上端開口
１９      注入孔
２０      ハンドル（貯水手段）
２０ａ    ハンドル
２００    周壁
２１      作動手段
２１ａ    作動手段
２１１    上端部
２１１ａ  操作部
２１２    下端部
２２      ピストン
３０      骨組み
４０      生布
【図１】
2005230254.tif 000003
【図２】
2005230254.tif 000004
【図３】
2005230254.tif 000005
【図４】
2005230254.tif 000006
【図５】
2005230254.tif 000007